(57)【要約】【課題】ドラムケースのパネルに対する位置合わせを可能にするとともに、ドラムケースをパネルに安定した状態で固定する。【解決手段】駆動ユニット８がドアの一部を構成するパネル６の一側面側に配設され、また従動ユニット９のドラムケース９２がパネル６の他側面側に固定される。パネル６の他側面側に、ドラムケース９２に設けられた複数の被係合部９２ｅのそれぞれに対して係合することにより、ドラムケース９２の位置決めを可能にする複数の係合部６９を設ける。【選択図】        図６
2005041282.tif 000002
【特許請求の範囲】
【請求項１】
駆動ユニットと、該駆動ユニットに連結されるとともに、ウインドウパネルに連結されるケーブルが巻き取り及び送り出し可能に巻回される回転ドラム、及び該回転ドラムを収容する合成樹脂製のドラムケースを有する従動ユニットとを備え、前記駆動ユニットがドアの一部を構成するパネルの一側面側に配設され、また前記従動ユニットのドラムケースが前記パネルの他側面側に固定されるパワーウインドウ装置の取付構造において、
前記パネルの他側面側に、前記ドラムケースに設けられた複数の被係合部のそれぞれに対して係合することにより、前記ドラムケースの位置決めを可能にする複数の係合部を設けたことを特徴とするパワーウインドウ装置の取付構造。
【請求項２】
複数の係合部のうちの１個の係合部を、前記複数の被係合部のうちの１個の被係合部に対してパネルの他側面に沿う方向へがた付かないように嵌合するとともに、前記１個の係合部以外の他の係合部を、前記１個の被係合部以外の他の被係合部に対して遊嵌した請求項１記載のパワーウインドウ装置の取付構造。
【請求項３】
ドラムケースに設けられる被係合部を、パネルの他側面側に向けて貫通する貫通孔とし、前記パネルの他側面側に設けられる係合部を、前記貫通孔に嵌合可能な突部とした請求項１または２記載のパワーウインドウ装置の取付構造。
【請求項４】
パネルを合成樹脂製とするとともに、係合部を前記パネルの他側面側に一体的に形成した請求項１〜３のいずれかに記載のパワーウインドウ装置の取付構造。
【請求項５】
ドラムケースは、ケーブルが挿通するケーブル挿通部を有し、被係合部を、前記ケーブル挿通部の近傍に設けた請求項１〜４のいずれかに記載のパワーウインドウ装置の取付構造。
【発明の詳細な説明】
【０００１】
【発明の属する技術分野】
本発明は、パワーウインドウ装置の取付構造に関する。
【０００２】
【従来の技術】
従来、パワーウインドウ装置の取付構造において、自動車用ドアの車内側を構成する合成樹脂製のインナーパネルの一側面（車内側の面）側にモータ及び減速機構等を収容するドラムケースを有する駆動ユニットを配設し、また、インナーパネルの他側面（車外側の面）側にウインドウパネル（窓ガラス）に連結されるケーブルが巻き取り及び送り出し可能に巻回されるドラムを収容したドラムケースを有する従動ユニットを配設するとともに、駆動ユニットのギヤケース及び従動ユニットのドラムケースは、複数のボルトによりインナーパネルに固定されるようになっている（例えば、特許文献１参照）。
【０００３】
【特許文献１】
特開２００１−１９９２３６号公報
【０００４】
【発明が解決しようとする課題】
しかし、上述のような従来のパワーウインドウ装置の取付構造においては、合成樹脂の熱収縮等を考慮して、ボルトが挿入される取付孔の孔径はボルトのねじ径より拡径に設定される。そのため、ドラムケースのインナーパネルに対する位置合わせが面倒である。また、ボルトによりドラムケースをインナーパネルに締結した後、ドラムケースの熱収縮等の影響によりボルトの締結力が低下して、ドラムケースのインナーパネルに対する保持が不安定になり、パワーウインドウ装置の品質低下を招くおそれがある。
【０００５】
本発明は、従来の技術が有する上記のような問題点に鑑み、ドラムケースのパネルに対する位置合わせを可能にするとともに、ドラムケースをパネルに位置ずれすることなく安定した状態で保持することができるようにしたパワーウインドウ装置の取付構造を提供することを目的としている。
【０００６】
【課題を解決するための手段】
本発明によると、上記課題は、次のようにして解決される。
（１）駆動ユニットと、該駆動ユニットに連結されるとともに、ウインドウパネルに連結されるケーブルが巻き取り及び送り出し可能に巻回される回転ドラム、及び該回転ドラムを収容する合成樹脂製のドラムケースを有する従動ユニットとを備え、前記駆動ユニットがドアの一部を構成するパネルの一側面側に配設され、また前記従動ユニットのドラムケースが前記パネルの他側面側に固定されるパワーウインドウ装置の取付構造において、前記パネルの他側面側に、前記ドラムケースに設けられた複数の被係合部のそれぞれに対して係合することにより、前記ドラムケースの位置決めを可能にする複数の係合部を設ける。
【０００７】
（２）上記（１）項において、複数の係合部のうちの１個の係合部を、前記複数の被係合部のうちの１個の被係合部に対してパネルの他側面に沿う方向へがた付かないように嵌合するとともに、前記１個の係合部以外の他の係合部を、前記１個の被係合部以外の他の被係合部に対して遊嵌する。
【０００８】
（３）上記（１）または（２）項において、ドラムケースに設けられる被係合部を、パネルの他側面側に向けて貫通する貫通孔とし、前記パネルの他側面側に設けられる係合部を、前記貫通孔に嵌合可能な突部とする。
【０００９】
（４）上記（１）〜（３）項のいずれかにおいて、パネルを合成樹脂製とするとともに、係合部を前記パネルの他側面側に一体的に形成する。
【００１０】
（５）上記（１）〜（４）項のいずれかにおいて、ドラムケースは、ケーブルが挿通するケーブル挿通部を有し、被係合部を、前記ケーブル挿通部の近傍に設ける。
【００１１】
【発明の実施の形態】
図１は、本発明を適用したドア（Ｄ）の斜視図、図２は、ドア（Ｄ）の分解斜視図、図３は、モジュールベース（６）を車内側から見た場合のその側面図、図４は、モジュールベース（６）を車外側から見た場合のその側面図、図５は、モジュールベース（６）を車外側から見た場合の要部の拡大側面図、図６は、モジュールベース（６）を車外側から見た場合の要部の分解斜視図である。
なお、以下の説明では、図１〜図３における右方を「前方」、左方を「後方」、紙面手前側を「車内側」、紙面奥側を「車外側」とする。
【００１２】
本発明に係わる本実施形態のドア（Ｄ）は、上下１対のドアヒンジ（図示略）をもって前端部が車体に開閉可能に枢着される自動車のフロントドアであって、車外側を構成する鋼板製のアウターパネル（１）と、車内側を構成し、かつ中央に開口（２ａ）（図２に示す）が設けられた鋼板製のインナーパネル（２）とを、互いの上縁を除く周縁をヘミング加工及びスポット溶接することにより箱状のドア本体（３）を形成するとともに、インナーパネル（２）の車内側に、後述のケーブル（１１）を介してウィンドパネル（窓ガラス）（４）を昇降開閉させるためのパワーウインドウ装置（５）が予め組み付けられたインナーパネル（２）の一部を構成する合成樹脂製のパネルをなすモジュールベース（６）が組み付けられることにより構成される。
【００１３】
モジュールベース（６）の車外側（アウターパネル（１）に対向する側）を向く他側面（６２）側における前後部には、主に図４に示すように、ウインドウパネル（４）の昇降軌跡に沿うように上下方向を向く前後１対のガイドレール（１０）（１０）が固定されている。ウインドウパネル（４）の下部は、モジュールベース（６）をインナーパネル（２）に組み付けた後、ガイドレール（１０）（１０）に上下方向へ摺動可能に嵌合されたキャリヤプレート（１０ａ）（１０ａ）に連結される。
【００１４】
ケーブル（１１）は、主に図４に示すように、前後のガイドレール（１０）（１０）の上下端部と、後述の従動ユニット（９）におけるドラムケース（９２）のケーブル挿通部（９２ａ）（９２ａ）とを接続する撓曲可能な外筒（１１ａ）内に摺動可能に挿通されるとともに、ガイドレール（１０）（１０）に沿うように配索されてキャリヤプレート（１０ａ）（１０ａ）に連結される。ケーブル挿通部（９２ａ）（９２ａ）に接続される外筒（１１ａ）（１１ａ）の端部は、主に図５及び図６に示すように、圧縮ばね（１２）（１２）により構成される公知のケーブル弛み吸収手段により、ケーブル挿通部（９２ａ）（９２ａ）にケーブル（１１）（１１）の送り出し方向に沿って所定距離だけ摺動可能に嵌合されている。
【００１５】
モジュールベース（６）は、外周の近傍に設けた複数の取付孔（６ａ）のそれぞれにボルト（７）を挿入し、このボルト（７）をインナーパネル（２）における開口（２ａ）の周辺に設けた雌ねじ部（２ｂ）に螺合して締結することにより、開口（２ａ）を閉塞するとともにインナーパネル（２）に固定される。
【００１６】
パワーウインドウ装置（５）は、モジュールベース（６）の車内側を向く一側面（６１）側に配置される駆動ユニット（８）と、モジュールベース（６）の他側面（６２）側に配置される従動ユニット（９）とを備えて構成される。
【００１７】
モジュールベース（６）における中央部、すなわちパワーウインドウ装置（５）の駆動ユニット（８）及び従動ユニット（９）が配置される取付部には、主に図６及び図７に示すように、駆動ユニット（８）と従動ユニット（９）との連結を可能にするための円形の連絡孔（６３）が設けられている。
【００１８】
モジュールベース（６）における一側面（６１）側における連絡孔（６３）の周囲には、主に図７及び図１０に示すように、モジュールベース（６）における連絡孔（６３）の周辺の剛性を高めるため、車内側に向けて突出する内側の環状突部（６４）及び環状突部（６４）より拡径の外側の環状突部（６５）が設けられている。すなわち、モジュールベース（６）における連絡孔（６３）の周囲には、環状突部が内外に多重に設けられている。
【００１９】
内外の環状突部（６４）（６５）の突出端には、切欠き状の複数の逃げ部（６４ａ）（６５ａ）が設けられている。この逃げ部（６４ａ）（６５ａ）は、後述のギヤケース（８２）の対向面（８２ａ）側に設けられる複数の突部（８２ｃ）に対応する位置に設けられる。
なお、逃げ部（６４ａ）（６５ａ）は、突部（８２ｃ）と同様の傾斜角を有し、かつ一定の間隔によって形成されることが望ましい。
【００２０】
外側の環状突部（６５）の周辺には、後述のギヤケース（８２）及びドラムケース（９２）をモジュールベース（６）に固定するためのボルト（１３）が挿通される３個の取付孔（６６）が設けられている。３個の取付孔（６６）のうち外側の環状突部（６５）の上下に設けられる取付孔（６６）（６６）の後方におけるモジュールベース（６）の他側面（６２）側には、主に図６に示すように車外側へ突出し、後述のドラムケース（９２）の被係合部（または係合手段）をなす上下の貫通孔（９２ｅ）（９２ｅ）に係合可能な係合部（または係合手段）をなす上下の突部（６９）（６９）が設けられている。
【００２１】
なお、モジュールベース（６）の一側面（６１）側に設けられる環状突部は、内外の環状突部（６４）（６５）のいずれか一方だけ設けても良いし、また３重以上としても良い。また、環状突部（６４）（６５）は、複数の円弧状の突部を組み合わせて、環状形状に形成しても良い。さらには、モジュールベース（６）を合成樹脂製以外、例えば、金属製としても良いし、インナーパネル（２）と一体的なものであっても良い。
【００２２】
駆動ユニット（８）は、正逆回転可能なモータ（８１）と、モータ（８１）が取り付けられるとともに、モータ（８１）の回転を減速して出力可能な減速機構（図示略）を収容し、ボルト（１３）によりモジュールベース（６）の一側面（６１）側に固定される金属製のギヤケース（８２）とを有している。
【００２３】
ギヤケース（８２）におけるモジュールベース（６）の一側面（６１）側に対向する対向面（８２ａ）の中央からは、減速機構の一部を形成する角柱状の出力軸（８３）が突出している。この出力軸（８３）は、モジュールベース（６）の連絡孔（６３）を貫通してモジュールベース（６）の他側面（６２）側へ突出し、後述の回転ドラム（９１）に連結される。
【００２４】
ギヤケース（８２）の対向面（８２ａ）側には、主に図６に示すように、ギヤケース（８２）の剛性を高めるため、出力軸（８３）を中心とする環状突部（８２ｂ）や環状突部（８２ｂ）の外周から遠心方向へ延出する複数の突部（８２ｃ）、及びモジュールベース（６）の取付孔（６６）に対応する雌ねじ手段をなす雌ねじ部（８２ｄ）を形成した３個の固定部（８２ｅ）が設けられている。
【００２５】
ギヤケース（８２）における環状突部（８２ｂ）の外径は、モジュールベース（６）の内側の環状突部（６４）の内径より小径に形成され、また、同じく突出量は、モジュールベース（６）の内外の環状突部（６４）（６５）の突出量より僅かに大きく設定される。したがって、ギヤケース（８２）をモジュールベース（６）の一側面（６１）側に固定した状態においては、主に図７及び図９に示すように、環状突部（８２ｂ）の突出端は、モジュールベース（６）の一側面（６１）側の連絡孔（６３）の周囲に当接し、内外の環状突部（６４）（６５）の突出端とギヤケース（８２）の対向面（８２ａ）との間、及び逃げ部（６４ａ）（６５ａ）と突部（８２ｃ）との間には、ほぼ均一な隙間が形成される。なお、複数の突部（８２ｃ）は複数の逃げ部（６４ａ）（６５ａ）に対向するようになっている。
【００２６】
モジュールベース（６）の一側面（６１）側における連絡孔（６３）の周囲の環状突部（６４）（６５）を含む領域と、ギヤケース（８２）の対向面（８２ａ）における突部（８２ｃ）を含む環状突部（８２ｂ）の周囲との間には、ドア本体（３）の上端から浸入した雨水がモジュールベース（６）の一側面（６１）側から他側面（６２）側、すなわち室内側に浸入しないようにするため、弾性変形可能な軟質のゴムまたは発泡材等の弾性材料で形成される環状のシール部材（１５）が設けられる。
【００２７】
シール部材（１５）は、主に図７及び図９に示すように、モジュールベース（６）の一側面（６１）側における内外の環状突部（６４）（６５）の突出端とギヤケース（８２）の対向面（８２ａ）との間、及び逃げ部（６４ａ）（６５ａ）と突部（８２ｃ）との間に密着されるとともに、環状突部（８２ｂ）の外周と内側の環状突部（６４）との間、及び内側の環状突部（６４）と外側の環状突部（６５）との間に食い込むように密着される。
なお、シール部材（１５）は、少なくとも内外の環状突部（６４）（６５）の一方と重合するだけでも、著しいシールド効果が得られる。
【００２８】
これにより、ギヤケース（８２）の対向面（８２ａ）が複数の突部（８２ｃ）が設けられた凹凸形状であっても、ほぼ均一な面圧をもって、シール部材（１５）を、モジュールベース（６）の一側面（６１）側における連絡孔（６３）の周囲とギヤケース（８２）の対向面との間に密着させることができ、確実なシールド効果を得ることが可能となり、駆動ユニット（８）のモータ（８１）等に雨水等が付着することを確実に防止することができる。
【００２９】
なお、上述の本実施形態において、ギヤケース（８２）の対向面（８２ａ）側に剛性を高めるための複数の突部（８２ｃ）を設けるとともに、モジュールベース（６）の内外の環状突部（６４）（６５）に突部（８２ｃ）に対応する逃げ部を（６４ａ）（６５ａ）を設けたものを説明したが、これに代えて、ギヤケース（８２）の対向面（８２ａ）側に突部（８２ｃ）を設けないもの、すなわち対向面（８２ａ）が平坦な形状のものとしても良い。この場合には、内外の環状突部（６４）（６５）には逃げ部（６４ａ）（６５ａ）を設ける必要がない。この構成においては、内外の環状突部（６４）（６５）とギヤケース（８２）の対向面（８２ａ）との間にシール部材（１５）が密着されて、確実なシールド効果が得られる。
【００３０】
従動ユニット（９）は、ボルト（１３）によりモジュールベース（６）の他側面（６２）側に固定される合成樹脂製のドラムケース（９２）と、ドラムケース（９２）に回転可能に収容されるとともに、キャリヤプレート（１０ａ）（１０ａ）を介してウインドウパネル（４）に連結されるケーブル（１１）が巻き込み、送り出し可能に巻回される回転ドラム（９１）（図７に示す）とを有している。回転ドラム（９１）は、モジュールベース（６）の連絡孔（６３）から突出する駆動ユニット（８）側の出力軸（８３）に連結されることにより、出力軸（８３）と一体的に回動しうるようになっている。
【００３１】
駆動ユニット（８）のモータ（８１）の回転により、回転ドラム（９１）を所定の方向へ回転させると、ケーブル（１１）が回転ドラム（９１）に巻き取られることにより、ウインドウパネル（４）は、ガイドレール（１０）（１０）に沿って昇降開閉する。
【００３２】
ドラムケース（９２）は、回転ドラム（９１）を回転可能に収容する有底筒状のドラム収納部（９２ｂ）と、ドラム収容部（９２ｂ）の後方（側方）に連設され、ケーブル（１１）が上下方向へ移動可能に挿通する筒状の上下１対のケーブル挿通部（９２ａ）（９２ａ）を有している。このケーブル挿通部（９２ａ）（９２ａ）は、ケーブル（１１）の移動方向である上下方向へ所定の長さを有している。
【００３３】
また、ドラムケース（９２）におけるドラム収納部（９２ｂ）の周囲には、モジュールベース（６）における取付孔（６６）及びギヤケース（８２）の各雌ねじ部（８２ｄ）に対応する取付孔（９２ｄ）が穿設された３個の固定部（９２ｃ）が設けられている。さらには、ケーブル挿通部（９２ａ）（９２ａ）の近傍の後方（側方）には、モジュールベース（６）の係合部（または係合手段）をなす上下の突部（６９）（６９）に係合可能な被係合部（または係合手段）をなす上下の貫通孔（９２ｅ）（９２ｅ）が設けられている。３個の取付孔（９２ｄ）のうちドラム収納部（９２ｂ）の上方に設けられる取付孔（９２ｄ）は、上側のケーブル挿通部（９２ａ）の近傍の前方（一方の側方）に位置し、また同じくドラム収納部（９２ｂ）の下方に設けられる取付孔（９２ｄ）は、下側のケーブル挿通部（９２ａ）の近傍の前方（一方の側方）に位置する。
【００３４】
上下の貫通孔（９２ｅ）（９２ｅ）のうち下側の貫通孔（９２ｅ）は、モジュールベース（６）の上下の突部（６９）（６９）のうち下側の突部（６９）に対してモジュールベース（６）の他側面（６２）に沿ってがた付かないようにきつく嵌合し、また、同じく上側の貫通孔（９２ｅ）は、上側の突部（６９）に上下方向（下側の突部（６９）と貫通孔（９２ｅ）との嵌合部を中心にしたドラムケース（９２）の回転を阻止する方向）に対して遊嵌される。
【００３５】
これにより、上下の貫通孔（９２ｅ）（９２ｅ）間の寸法精度、または上下の突部（６９）（６９）間の寸法精度に誤差が生じた場合であっても、貫通孔（９２ｅ）（９２ｅ）を突部（６９）（６９）に対して容易に嵌合させることが可能となる。
【００３６】
また、複数（本実施形態においては２個）の貫通孔（９２ｅ）と突部（６９）とが互いに嵌合するため、合成樹脂製のモジュールベース（６）またはドラムケース（９２）の熱収縮等の影響により、ドラムケース（９２）をモジュールベース（６）の他側面（６２）側に固定するためのボルト（１３）の締結力が低下したとしても、ドラムケース（９２）のモジュールベース（６）の他側面（６２）に沿う方向への位置ずれを阻止して、ドラムケース（９２）をモジュールベース（６）に安定した状態で固定することが可能となる。
【００３７】
ドラムケース（９２）をモジュールベース（６）に組み付ける場合、ドラムケース（９２）の貫通孔（９２ｅ）（９２ｅ）を、モジュールベース（６）の突部（６９）（６９）に嵌合させることにより、ドラムケース（９２）のモジュールベース（６）に対する位置決めを簡単かつ確実に行うことができる。
【００３８】
また、本実施形態においては、貫通孔（９２ｅ）（９２ｅ）をドラムケース（９２）に設けたことにより、ドラムケース（９２）をモジュールベース（６）に対して位置決めするとき、貫通孔（９２ｅ）（９２ｅ）から突部（６９）（６９）の位置を視認できるので、貫通孔（９２ｅ）（９２ｅ）を突部（６９）（６９）に簡単かつ確実に嵌合させることができ、作業効率の向上を図ることができる。
【００３９】
さらには、ドラムケース（９２）のモジュールベース（６）に対する固定後においては、ケーブル挿通部（９２ａ）の近傍で、貫通孔（９２ｅ）が突部（６９）に嵌合しているため、ケーブル挿通部（９２ａ）に作用する荷重を、貫通孔（９２ｅ）と突部（６９）との嵌合部位で受けることができるので、ケーブル挿通部（９２ａ）の変形を阻止することができる。
【００４０】
なお、係合部（または係合手段）をなす突部（６９）及び被係合部（係合手段）をなす貫通孔（９２ｅ）は、上述の構成に限定されるものではない。例えば、上述の構成に代えて、係合部（または係合手段）をなす突部をドラムケース（９２）側に設け、突部に嵌合可能な被係合部（または係合手段）をなす貫通孔または凹部をモジュールベース（６）側に設けても良い。また、モジュールベース（６）に突部と貫通孔とをそれぞれ１個ずつ設け、ドラムケース（９２）側にモジュールベース（６）の突部と貫通孔にそれぞれ嵌合可能な貫通孔と突部とを１個ずつ設けても良い。さらには、係合部（または係合手段）を貫通孔とし、被係合部（または係合手段）を突部としても良いし、また、係合部（または係合手段）及び被係合部（または係合手段）を他の位置に設けたり、数を３個以上としても良い。
【００４１】
ドラムケース（９２）の各固定部（９２ｃ）に設けられた取付孔（９２ｄ）には、軸方向へ所定の長さを有し、かつ長さ方向の圧縮力に対して十分な強度を有する金属製の筒状部材（１４）が嵌合または圧入される。筒状部材（１４）の長さは、図８に示すように、ドラムケース（９２）における固定部（９２ｃ）の厚さ寸法（ａ）より長く、かつ厚さ寸法（ａ）とモジュールベース（６）の厚さ寸法（ｂ）との和より僅かに短く設定される。また、筒状部材（１４）の外径は、モジュールベース（６）の取付孔（６６）の内径と同等かまたはそれより僅かに小径に設定される。これにより、筒状部材（１４）は、ドラムケース（９２）の取付孔（９２ｄ）に圧入した状態で、取付孔（９２ｄ）からモジュールベース（６）側に向けて突出するとともに、その突出した突出部は、モジュールベース（６）の取付孔（６６）にそれぞれ嵌合される。
【００４２】
ドラムケース（９２）は、上述のように、上下のケーブル挿通部（９２ａ）（９２ａ）の近傍の後方（他方の側方）に設けられた上下の貫通孔（９２ｅ）（９２ｅ）をモジュールベース（６）の上下の突部（６９）（６９）に嵌合させるとともに、図７及び図８に示すように、ドラムケース（９２）の取付孔（９２ｄ）に圧入された各筒状部材（１４）の突出端をモジュールベース（６）の取付孔（６６）のそれぞれに嵌合させる。これにより、ドラムケース（９２）は、貫通孔（９２ｅ）と突部（６９）との嵌合に加えて、筒状部材（１４）の突出端とモジュールベース（６）の取付孔（６６）との嵌合により、モジュールベース（６）に対して確実に位置決めされる。
【００４３】
筒状部材（１４）の突出部をモジュールベース（６）の各取付孔（６６）に嵌合した状態で、ボルト（１３）を筒状部材（１４）にその一端側（モジュールベース（６）の他側面（６２）側）から挿入して、モジュールベース（６）の一側面（６１）側に固定されるギヤケース（８２）に設けられた雌ねじ部（８２ｄ）に螺合して締め込む。これにより、合成樹脂製のドラムケース（９２）の固定部（９２ｃ）における取付孔（９２ｄ）の周囲及びモジュールベース（６）における取付孔（６６）の周囲が、筒状部材（１４）の長さを前記厚さ寸法（ａ）と（ｂ）との和より短く設定した量だけ厚さ方向へ圧縮した後、筒状部材（１４）の一端がボルト（１３）の頭部に、また他端が金属製のギヤケース（８２）における雌ねじ部（８２ｄ）を有する雌ねじ手段をなす固定部（８２ｅ）の端面に当接する。したがって、合成樹脂製のドラムケース（９２）及びモジュールベース（６）の締結箇所を必要以上に変形させることなく、ドラムケース（９２）をモジュールベース（６）に確実に固定することができ、また、締結後に熱収縮等の影響により、ボルト（１３）の締結力が低下するようなことはない。
【００４４】
なお、雌ねじ手段は、ギヤケース（８２）に設けることなく、ギヤケース（８２）と別体で形成したり、一般的なナットでも良い。
【００４５】
ドラムケース（９２）をモジュールベース（６）の他側面（６２）側に固定した状態において、ドラムケース（９２）における上下のケーブル挿通部（９２ａ）（９２ａ）の近傍の前方（一方の側方）は係合手段をなすボルト（１３）（１３）により、また同じく後方（他方の側方）は係合手段をなす貫通孔（９２ｅ）と突部（６９）との嵌合により、換言すればケーブル挿通部（９２ａ）の近傍の両側方は、係合手段によりモジュールベース（６）に固定されるので、ケーブル挿通部（９２ａ）に大きな荷重が作用した場合であっても、ケーブル挿通部（９２ａ）の変形を確実に阻止することができ、強度の向上を図ることができる。
【００４６】
また、ドラムケース（９２）の３個の固定部（９２ｃ）のうち上下のケーブル挿通部（９２ａ）（９２ａ）の近傍の前方（一方の側方）に設けられる固定部（９２ｃ）とケーブル挿通部（９２ａ）（９２ａ）との間の領域には、主に図８に示すように、上下のケーブル挿通部（９２ａ）（９２ａ）の前部（側部）を補強するため、他の領域より肉厚にした補強部（９２ｆ）が設けられている。
【００４７】
また、上下のケーブル挿通部（９２ａ）（９２ａ）の後部（側部）には、ケーブル挿通部（９２ａ）（９２ａ）の後部を補強するための複数の補強片（９２ｇ）が連設されている。この補強片（９２ｇ）は、各貫通孔（９２ｅ）（９２ｅ）の上下に設けられる。これにより、ケーブル挿通部（９２ａ）（９２ａ）の前部及び後部（両側部）は補強され、必要最小限の材料をもって、ケーブル挿通部（９２ａ）（９２ａ）の変形をより確実に防止することができる。
【００４８】
【発明の効果】
本発明によれば、次のような効果を奏することができる。
（ａ）  請求項１記載の発明によると、ドラムケースの被係合部をパネルの係合部に係合させることにより、ドラムケースのパネルに対する位置決めを簡単かつ確実に行うことができる。
また、複数の係合部と被係合部とが互いに係合するため、合成樹脂製のパネルまたはドラムケースの熱収縮の影響により、ドラムケースをパネルに固定するためのボルトの締結力が低下したとしても、ドラムケースをパネルに対して安定した状態で保持することが可能となる。
【００４９】
（ｂ）  請求項２記載の発明によると、請求項１に係わる発明の効果に加えて、各被係合部間の寸法、または各係合部間に寸法誤差が生じた場合でも、被係合部を係合部に容易に嵌合させることができる。
【００５０】
（ｃ）請求項３記載の発明によると、請求項１または２に係わる発明の効果に加えて、ドラムケースをパネルに位置決めするとき、貫通孔から突部の位置を視認できるので、貫通孔を突部に簡単かつ確実に嵌合させることができ、作業効率の向上を図ることができる。
【００５１】
（ｄ）請求項４記載の発明によると、請求項１〜３のいずれかに係わる発明の効果に加えて、係合部をパネルに簡単に形成することができる。
【００５２】
（ｅ）請求項５記載の発明によると、請求項１〜４のいずれかに係わる発明の効果に加えて、ケーブル挿通部に作用する荷重を係合部と被係合部との嵌合部分で受けることができるので、ケーブル挿通部の変形を効果的に阻止することができる。
【図面の簡単な説明】
【図１】本発明を適用したドアの斜視図である。
【図２】同じく、ドアの分解斜視図である。
【図３】同じく、モジュールベースを車内側から見た場合のその側面図である。
【図４】同じく、モジュールベースを車外側から見た場合のその側面図である。
【図５】同じく、モジュールベースを車外側から見た場合の要部の拡大側面図である。
【図６】同じく、車外側見た場合の要部の分解斜視図である。
【図７】図５におけるＶＩＩ−ＶＩＩ線に沿う横断面図である。
【図８】図５におけるＶＩＩＩ−ＶＩＩＩ線に沿う拡大横断面図である。
【図９】図７におけるＩＸ部の拡大図である。
【図１０】モジュールベースを車内側から見た場合の要部の拡大斜視図である。
【符号の説明】
（Ｄ）ドア
（１）アウターパネル
（２）インナーパネル
（２ａ）開口
（２ｂ）雌ねじ部
（３）ドア本体
（４）ウインドウパネル（窓ガラス）
（５）パワーウインドウ装置
（６）モジュールベース（パネル）
（６ａ）取付孔
（６１）モジュールベースの一側面
（６２）モジュールベースの他側面
（６３）連絡孔
（６４）内側の環状突部
（６４ａ）逃げ部
（６５）外側の環状突部
（６５ａ）逃げ部
（６６）取付孔
（６９）突部（係合部、係合手段）
（７）ボルト
（８）駆動ユニット
（８１）モータ
（８２）ギヤケース
（８２ａ）対向面
（８２ｂ）環状突部
（８２ｃ）突部
（８２ｄ）雌ねじ部（雌ねじ手段）
（８２ｅ）固定部（雌ねじ手段）
（８３）出力軸
（９）従動ユニット
（９１）回転ドラム
（９２）ドラムケース
（９２ａ）ケーブル挿通部
（９２ｂ）ドラム収容部
（９２ｃ）固定部
（９２ｄ）取付孔
（９２ｅ）貫通孔（被係合部、係合手段）
（９２ｆ）補強部
（９２ｇ）補強片
（１０）ガイドレール
（１０ａ）キャリヤプレート
（１１）ケーブル
（１１ａ）外筒
（１２）圧縮ばね
（１３）ボルト（係合手段）
（１４）筒状部材
（１５）シール部材
【図１】
2005041282.tif 000003
【図２】
2005041282.tif 000004
【図３】
2005041282.tif 000005
【図４】
2005041282.tif 000006
【図５】
2005041282.tif 000007
【図６】
2005041282.tif 000008
【図７】
2005041282.tif 000009
【図８】
2005041282.tif 000010
【図９】
2005041282.tif 000011
【図１０】
2005041282.tif 000012